(57)【要約】【課題】制御装置が簡単に被制御装置のパッケージの種別を認識することのできる方法及び該方法を用いた制御システムを提供する。【解決手段】複数のパッケージを搭載した被制御装置２、３を制御する制御装置４が、被制御装置２、３に搭載されたパッケージを認識するにあたって、制御装置４からパッケージの実装位置情報１０２を記述した制御コマンドを被制御装置２、３に送信し、制御コマンドを受信した被制御装置２、３は、制御コマンドに記述された実装位置情報１０２と、被制御装置２、３に記録された実装位置情報１０３とを比較し、両実装位置情報が一致した場合にのみ、制御装置４に被制御装置２、３のパッケージ種別を特定する情報１０４を送信する。【選択図】　図１
2004110478.tif 000002
【特許請求の範囲】
【請求項１】
複数のパッケージを搭載した被制御装置を制御する制御装置が、該被制御装置に搭載されたパッケージを認識する方法であって、
該制御装置から前記パッケージの実装位置情報を記述した制御コマンドを前記被制御装置に送信し、
該制御コマンドを受信した被制御装置は、該制御コマンドに記述された実装位置情報と、該被制御装置に記録された実装位置情報とを比較し、両実装位置情報が一致した場合にのみ、前記制御装置に該被制御装置のパッケージ種別を特定する情報を送信することを特徴とするパッケージ認識方法。
【請求項２】
複数のパッケージを搭載した被制御装置と、該被制御装置を制御する制御装置とを備えた制御システムにおいて、
該制御装置から前記パッケージの実装位置情報を記述した制御コマンドを前記被制御装置に送信し、
該制御コマンドを受信した被制御装置は、該制御コマンドに記述された実装位置情報と、該被制御装置に記録された実装位置情報とを比較し、両実装位置情報が一致した場合にのみ、前記制御装置に該被制御装置のパッケージ種別を特定する情報を送信し、
前記被制御装置からパッケージ種別を特定する情報を受信した前記制御装置は、該パッケージの制御信号を前記被制御装置に送信することを特徴とする制御システム。
【請求項３】
複数のパッケージを搭載した被制御装置を制御する制御装置であって、
該制御装置から前記パッケージの実装位置情報を記述した制御コマンドを前記被制御装置に送信し、
前記被制御装置からパッケージ種別を特定する情報を受信した場合には、該パッケージの制御信号を前記被制御装置に送信することを特徴とする制御装置。
【請求項４】
複数のパッケージを搭載した被制御装置であって、
制御装置からパッケージの実装位置情報を記述した制御コマンドを受信し、
該制御コマンドに記述された実装位置情報と、該被制御装置に記録された実装位置情報とを比較し、両実装位置情報が一致した場合にのみ、前記制御装置に該被制御装置のパッケージ種別を特定する情報を送信することを特徴とする被制御装置。
【発明の詳細な説明】
【０００１】
【発明の属する技術分野】
本発明は、パッケージ認識方法及び制御システムに関し、特に、複数のパッケージを実装した電子装置等に実装された各パッケージの種別を認識する方法及び制御システムに関する。
【０００２】
【従来の技術】
従来、電子装置等に実装された複数のパッケージを種別を認識し、該電子装置等を制御するにあたって、次のような技術が存在する。
【０００３】
特許第３０５０１２１号にかかるパッケージ設定制御システムでは、制御装置より、パッケージの実装位置と、種別と、設定アドレスと、設定項目値と、制御コマンドとを被制御装置に送信し、被制御装置に、パッケージの種別格納手段と、設定アドレス毎に設定項目値を格納する設定手段と、種別の一致判定手段と、種別が一致しない場合に設定内容を更新する手段とを備えることにより、制御パッケージの設定制御部にデータ変換テーブルを用いないでパッケージの設定を行うことを可能としている。
【０００４】
一方、特開平８−２５６３６５号公報に記載のデジタル交換機では、パッケージ種別監視部が個別のパッケージ基板の種類を検出し、受信データの中から送信先のパッケージ基板の種類を特定する情報を読み出し、パッケージ基板の種類とデータに含まれた情報が特定するパッケージ基板の種類とが一致した場合に、受信したデータを送信先の個別パッケージ基板に送信することにより、回路基板上の回路の誤動作やデータの喪失を生じさせることなく、複数種類の回路基板を同じシェルフに格納することのできるデジタル交換機を提供している。
【０００５】
【発明が解決しようとする課題】
上記従来のパッケージ認識方法及び制御システムにおいては、制御装置と、被制御回路としての電子装置との間にシリアルまたはパラレル信号により、装置毎に複雑なシーケンスを用意して通信している。ところが、開発期間の短縮、開発費の抑制等の理由から、設計／開発が終了しているパッケージに不足している機能を別のパッケージに作り込んだ後、両パッケージを組み合わせる場合が多くなってきたため、複雑なシーケンスを組むことができないという問題があった。
【０００６】
そこで、本発明は、上記従来のパッケージ認識方法及び制御システム等における問題点に鑑みてなされたものであって、簡単にパッケージの種別を認識することのできる方法及び該方法を用いた制御システムを提供することを目的とする。
【０００７】
【課題を解決するための手段】
上記目的を達成するため、本発明は、複数のパッケージを搭載した被制御装置を制御する制御装置が、該被制御装置に搭載されたパッケージを認識する方法であって、該制御装置から前記パッケージの実装位置情報を記述した制御コマンドを前記被制御装置に送信し、該制御コマンドを受信した被制御装置は、該制御コマンドに記述された実装位置情報と、該被制御装置に記録された実装位置情報とを比較し、両実装位置情報が一致した場合にのみ、前記制御装置に該被制御装置のパッケージ種別を特定する情報を送信することを特徴とする。
【０００８】
また、本発明は、複数のパッケージを搭載した被制御装置と、該被制御装置を制御する制御装置とを備えた制御システムにおいて、該制御装置から前記パッケージの実装位置情報を記述した制御コマンドを前記被制御装置に送信し、該制御コマンドを受信した被制御装置は、該制御コマンドに記述された実装位置情報と、該被制御装置に記録された実装位置情報とを比較し、両実装位置情報が一致した場合にのみ、前記制御装置に該被制御装置のパッケージ種別を特定する情報を送信し、前記被制御装置からパッケージ種別を特定する情報を受信した前記制御装置は、該パッケージの制御信号を前記被制御装置に送信することを特徴とする制御システム。
【０００９】
さらに、本発明は、複数のパッケージを搭載した被制御装置を制御する制御装置であって、該制御装置から前記パッケージの実装位置情報を記述した制御コマンドを前記被制御装置に送信し、前記被制御装置からパッケージ種別を特定する情報を受信した場合には、該パッケージの制御信号を前記被制御装置に送信することを特徴とする。
【００１０】
また、本発明は、複数のパッケージを搭載した被制御装置であって、制御装置からパッケージの実装位置情報を記述した制御コマンドを受信し、該制御コマンドに記述された実装位置情報と、該被制御装置に記録された実装位置情報とを比較し、両実装位置情報が一致した場合にのみ、前記制御装置に該被制御装置のパッケージ種別を特定する情報を送信することを特徴とする。
【００１１】
そして、本発明によれば、制御装置から送信されたパッケージの実装位置情報と、被制御装置に記録された実装位置情報とを比較し、両実装位置情報が一致した場合にのみ、制御装置に被制御装置のパッケージ種別を特定する情報を送信するため、多種類のパッケージの種別認識を特別なシーケンス処理を行うこともなく、簡単なロジックで実現することが可能となる。
【００１２】
【発明の実施の形態】
次に、本発明の実施の形態について図面を参照しながら説明する。
【００１３】
図１は、本発明にかかる制御システムの第１実施例を示す回路ブロック図である。この制御システムは、Ｎ枚のラインカード１と、このラインカード１と同数のＮ枚のＳＷ（スイッチ）盤２と、ＳＷ盤２のパッケージ種別を監視し、ＳＷ盤２上のＳＷ（スイッチ）２２を制御する制御回路４と、各部を接続するＢＷＢ（バックワイヤーボード）３とで構成される。
【００１４】
ラインカード１は、各々の加入者とＳＷ盤２を介して主信号１０１を終端する機能を有し、ＳＷ盤２は、ラインカード１が有しない機能を備えている。ここでは、ＳＷ盤２は、便宜上、冗長切り替えのためのＳＷ２２を備えるものとし、所望される機能毎に数種類存在する。この種類を特定するため、ＳＷ盤２は、各々固有のパッケージ種別を持つものとする。この場合、制御回路４は、パッケージの実装されている位置と、種別とを的確に判断し、種類毎のＳＷ盤２内のＳＷ２２を制御する必要がある。
【００１５】
そこで、制御回路４は、ＳＷ盤２に対し、アドレス信号１０３を送信する。ＳＷ盤２は、実装位置毎に異なる実装位置情報１０２をＢＷＢ３から入手し、制御回路４からのアドレス信号１０３をパッケージ種別送信回路２１にて比較する。実装位置信号１０２とアドレス信号１０３が一致した場合には、パッケージ種別情報１０４をパラレルデータにて制御回路４に送信する。実装位置信号１０２とアドレス信号１０３が不一致である場合には、他のＳＷ盤２からの出力と衝突しないようにハイインピーダンス状態にする。制御回路４は、入手したパッケージ種別に応じて、各々のＳＷ盤２にＳＷ制御信号１０５を出力してＳＷ２２を制御する。
【００１６】
次に、上記構成を有する制御システムの動作について、図１及び図２を参照しながら詳細に説明する。尚、以下の説明においては、便宜上ラインカード１の枚数Ｎを７、ＳＷ盤２の種類を３とする。
【００１７】
Ｎ＝７とすると、ＢＷＢ３で持つ実装位置情報は、３ビットで表すことができ、実装位置から各々のＳＷ盤２に“０００”から“１１０”の情報を割り当てる。“１１１（＝ＺＺＺ）”は、制御回路４が未実装の時、異常動作を防止する意味で、割り当てるべきでない。また、パッケージ種別に、２ビットを用意し、“０１”，“１０”，“００”に割り当て、“１１（＝ＺＺ）”は、未実装状態を表す。
【００１８】
制御回路４は、全ＳＷ盤２にパッケージ種別を収集したいＳＷ盤２のアドレス信号１０３を出力する。例えば、ＢＷＢ３から実装位置情報“０００”が入力されており、かつパッケージ種別が“００”であるＳＷ盤２のパッケージ種別情報を収集する場合には、まず、制御回路４は、アドレス信号１０３に“０００”を出力する。
【００１９】
各ＳＷ２内のパッケージ種別送信回路２１は、アドレス信号“０００”と、ＢＷＢ３から入力の実装位置情報３ビットを比較回路２０１で比較し、その結果の制御信号２０２により、３ステートバッファ２０３の出力／停止制御を行う。実装位置情報が“０００”でアドレス信号と一致した場合には、３ステートバッファ２０３からパッケージ種別情報１０４“００”を出力し、実装位置情報が“０００”以外の場合には、３ステートバッファ２０３をハイインピーダンス状態にすることで、他のＳＷ盤２の動作を妨げない。また、該当するＳＷ盤２が実装されていない場合には、パッケージ種別は、制御回路４で“１１（＝ＺＺ）”と認識される。
【００２０】
制御回路４は、これらの手順によって、パッケージ種別情報１０４を、定期的に収集し、機能／性能に見合ったＳＷ制御信号１０５によって、ＳＷ盤２内のＳＷ２２を制御する。
【００２１】
本発明にかかる制御システムの第２実施例として、その基本的構成は上記のとおりであるが、パッケージ種別の送信方法についてさらに工夫した場合について説明する。
【００２２】
この制御システムは、図３に示すように、パラレルデータとして送信していたパッケージ種別情報１０４をＰ／Ｓ変換器２０４にて制御クロック１０６によりシリアルデータに変換することで、ＢＷＢ３上の物理的な配線を削減したものである。
【００２３】
従って、このＰ／Ｓ変換器２０４を用いたパッケージ種別送信回路２１の動作のタイミング図は、図４のようになる。即ち、制御回路４は、全ＳＷ盤２にパッケージ種別を収集したいＳＷ盤２のアドレス信号１０３を出力し、該当しているＳＷ盤２は、ＳＷ盤２内のパッケージ種別送信回路２１にてシリアルデータのパッケージ種別情報１０４を生成し、ＢＷＢ３を介して制御回路４に送信する。制御回路４は、受信したパッケージ種別情報１０４により、各々のＳＷ盤２にＳＷ制御信号１０５を出力してＳＷ２２を制御する。
【００２４】
【発明の効果】
以上説明したように、本発明によれば、制御装置が簡単に被制御装置のパッケージの種別を認識することのできる方法及び該方法を用いた制御システムを提供することができる。
【図面の簡単な説明】
【図１】本発明にかかる制御システムの第１実施例を示すブロック図である。
【図２】図１の制御システムの動作を説明するためのタイムチャートである。
【図３】本発明にかかる制御システムの第２実施例を示すブロック図である。
【図４】図３の制御システムの動作を説明するためのタイムチャートである。
【符号の説明】
１　　　　ラインカード
２　　　　ＳＷ盤
２１　　　パッケージ種別送信回路
２２　　　ＳＷ
３　　　　ＢＷＢ
４　　　　制御回路
１０１　主信号
１０２　実装位置情報
１０３　アドレス信号（実装位置情報）
１０４　パッケージ種別情報
１０５　ＳＷ制御信号
１０６　制御用クロック
２０１　比較回路
２０２　制御信号
２０３　３ステートバッファ
２０４　Ｐ／Ｓ変換器
【図１】
2004110478.tif 000003
【図２】
2004110478.tif 000004
【図３】
2004110478.tif 000005
【図４】
2004110478.tif 000006